【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
ネットワーク・ベースのインスタント・メッセージング・システムであって、
メモリと、
前記メモリに動作的に結合され１又は複数のデバイスの内部に配置されている１又は複数のプロセッサと、
前記１又は複数のプロセッサによってアクセス可能なデータ・パッケージと、
を備えており、前記データ・パッケージは、
前記インスタント・メッセージング・システムのユーザーに関する記述データと、
ガジェットのネットワーク位置を示し前記記述データと前記記述データを表示する１又は複数のアプリケーションの様々な属性とをレンダリングするレンダリング・データと、
を更に備えており、
前記ネットワーク位置は前記インスタント・メッセージング・システムの１又は複数の他のユーザーによってアクセス可能であり、
前記ガジェットは命令コードを含み、
前記属性は前記１又は複数の他のユーザーの１又は複数のデバイスにおいて前記記述データを表示するガジェットのタイプを識別する特性を含む、ネットワーク・ベースのインスタント・メッセージング・システム。
【請求項２】
請求項１記載のネットワーク・ベースのインスタント・メッセージング・システムにおいて、前記記述データと前記レンダリング・データとは拡張可能な言語で書かれている、ネットワーク・ベースのインスタント・メッセージング・システム。
【請求項３】
請求項１記載のネットワーク・ベースのインスタント・メッセージング・システムにおいて、前記データ・パッケージは前記ネットワーク・ベースのインスタント・メッセージング・システムのユーザーのプレゼンスを拡張するデータを含む、ネットワーク・ベースのインスタント・メッセージング・システム。
【請求項４】
請求項１記載のネットワーク・ベースのインスタント・メッセージング・システムにおいて、前記記述データは地理的位置データを含む、ネットワーク・ベースのインスタント・メッセージング・システム。
【請求項５】
請求項１記載のネットワーク・ベースのインスタント・メッセージング・システムにおいて、前記ガジェットのネットワーク位置を示す前記レンダリング・データはＵＲＬを含む、ネットワーク・ベースのインスタント・メッセージング・システム。
【請求項６】
請求項１記載のネットワーク・ベースのインスタント・メッセージング・システムにおいて、前記ガジェットのネットワーク位置を示す前記レンダリング・データは少なくとも１つのＵＲＬ、又は、少なくとも１つのＵＲＬと関連するドメイン名を含む、ネットワーク・ベースのインスタント・メッセージング・システム。
【請求項７】
請求項１記載のネットワーク・ベースのインスタント・メッセージング・システムにおいて、前記ガジェットのネットワーク位置を示す前記レンダリング・データはインターネット・プロトコル・アドレス含む、ネットワーク・ベースのインスタント・メッセージング・システム。
【請求項８】
請求項１記載のネットワーク・ベースのインスタント・メッセージング・システムにおいて、前記インスタント・メッセージング・システムのユーザーに関する前記記述データは商品に関するデータを含む、ネットワーク・ベースのインスタント・メッセージング・システム。
【請求項９】
請求項１記載のネットワーク・ベースのインスタント・メッセージング・システムにおいて、前記ガジェットのネットワーク位置を示す前記レンダリング・データはドメイン名、又は、商品業者のインターネット・プロトコル・アドレス含む、ネットワーク・ベースのインスタント・メッセージング・システム。
【請求項１０】
請求項１記載のネットワーク・ベースのインスタント・メッセージング・システムにおいて、前記ガジェットのネットワーク位置を示す前記レンダリング・データはドメイン名、又は、インスタント・メッセージング・サーバーのインターネット・プロトコル・アドレス含む、ネットワーク・ベースのインスタント・メッセージング・システム。
【請求項１１】
少なくとも部分的にコンピューティング・デバイスによって実現される方法であって、
インスタント・メッセージング・システムのユーザーからデータを受信するステップであって、前記データは、前記インスタント・メッセージング・システムの前記ユーザーに関する記述データと、ガジェットのネットワーク位置を示し前記記述データと前記記述データを表示する１又は複数のアプリケーションの様々な属性とをレンダリングするレンダリング・データとを含んでおり、前記ネットワーク位置は前記インスタント・メッセージング・システムの１又は複数の他のユーザーによってアクセス可能であり、前記ガジェットは命令コードを含み、前記属性は前記１又は複数の他のユーザーの１又は複数のデバイスにおいて前記記述データを表示するガジェットのタイプを識別する特性を含む、ステップと、
前記データを解析（パージング）して、前記ユーザーに関する前記記述データを識別し、更に、前記レンダリング・データから前記ガジェットの前記ネットワーク位置を識別するステップと、
前記ガジェットの前記ネットワーク位置にアクセスして、前記ガジェットをダウンロードするステップと、
前記ガジェットを実行して前記記述データをレンダリングするステップと、
を含む、方法。
【請求項１２】
請求項１１記載の方法において、前記ガジェットを実行するステップは前記記述データを視覚的にレンダリングする、方法。
【請求項１３】
請求項１１記載の方法において、前記ガジェットを実行するステップは前記記述データを聴覚的にレンダリングする、方法。
【請求項１４】
請求項１１記載の方法において、前記ユーザーに関する前記記述データは地理的位置データを含む、方法。
【請求項１５】
請求項１１記載の方法において、前記ユーザーに関する記述データはオーディオ・ファイル又はビデオ・ファイルに関する情報を含む、方法。
【請求項１６】
少なくとも部分的にコンピューティング・デバイスによって実現される方法であって、
インスタント・メッセージング・システムのユーザーに関する記述データを発生するステップと、
前記記述データを他のユーザーの１又は複数のコンピューティング・デバイスにおいて提示するための情報を含むレンダリング・データを発生するステップであって、前記レンダリング・データはガジェットのネットワーク位置を示して前記記述データと前記記述データを表示する１又は複数のアプリケーションの様々な属性とをレンダリングし、前記ネットワーク位置は前記インスタント・メッセージング・システムの１又は複数の他のユーザーによってアクセス可能であり、前記ガジェットは命令コードを含み、前記属性は前記１又は複数の他のユーザーの１又は複数のデバイスにおいて前記記述データを表示するガジェットのタイプを識別する特性を含む、ステップと、
前記発生された記述データをレンダリングするように構成されている前記レンダリング・データから、ガジェットの前記ネットワーク位置を識別するステップと、
前記記述データと前記ガジェットの前記ネットワーク位置とを、前記インスタント・メッセージング・システムのインスタント・メッセージング・サーバーに送信するステップと、
を含む、方法。
【請求項１７】
請求項１６記載の方法であって、
前記インスタント・メッセージング・サーバーにアクセスするステップと、
前記記述データと前記ガジェットの前記ネットワーク位置とをダウンロードするステップと、
を更に含む、方法。
【請求項１８】
請求項１７記載の方法であって、
前記ガジェットを前記ネットワーク位置からダウンロードするステップと、
前記ガジェットを実行して前記記述データをレンダリングするステップと、
を更に含む、方法。
【請求項１９】
請求項１６記載の方法において、前記記述データは前記インスタント・メッセージング・システムのユーザーのプレゼンス情報を拡張する拡張情報を含む、方法。
【請求項２０】
請求項１６記載の方法であって、１又は複数のアプリケーション・プログラミング・インターフェースをコールして前記記述データと前記ガジェットの前記ネットワーク位置との前記インスタント・メッセージング・システムのインスタント・メッセージング・サーバーへの送信を実行するステップを更に含む、方法。